(57)【要約】本発明はスチーム調理器に関し、より詳細には飲食物の上部と下部両方向からスチームの供給を受けることになり、飲食物の全体を均等に調理することができ、スチームの内部に収容された水分が凝結されて発生する凝結水を容易に外部に排出できるようにして飲食物と凝結水が接して飲食物の味が低下することを防止できるスチーム調理器に関する。前記した目的を達成するための本発明は、スチームを生成して供給するスチーム供給装置と、前記スチーム供給装置からスチームの供給を受けて内部に収容された飲食物を調理する調理容器からなり、前記調理容器は、内部に飲食物が収容される第１収容部と、前記第１収容部の下部に連通するように形成され、前記スチーム供給装置からスチームの供給を受ける第２収容部と、前記第１収容部の上部に備えられ、前記スチーム供給装置からスチームの供給を受ける蓋からなることを特徴とする。
2016531721.tif 000002
【特許請求の範囲】
【請求項１】
スチームを生成して供給するスチーム供給装置と、
前記スチーム供給装置からスチームの供給を受けて内部に収容された飲食物を調理する調理容器からなることを特徴とするスチーム調理器。
【請求項２】
前記調理容器は内部に飲食物が収容される第１収容部と、
前記第１収容部の上部に備えられ、第１収容部を密閉する蓋からなり、
前記第１収容部または蓋にはスチームの供給を受ける供給孔が形成されることを特徴とする請求項１に記載のスチーム調理器。
【請求項３】
前記調理容器は、
内部に飲食物が収容される第１収容部と、
前記第１収容部の下部に連通するように形成され、前記スチーム供給装置からスチームの供給を受ける供給孔が形成される第２収容部と、
前記第１収容部の上部に備えられ、第１収容部を密閉する蓋からなり、
前記第１収容部または蓋にはスチームの供給を受ける供給孔が形成されることを特徴とする請求項１に記載のスチーム調理器。
【請求項４】
前記第１収容部はフォールディング可能なように襞部が形成されることを特徴とする請求項３に記載のスチーム調理器。
【請求項５】
前記供給孔には前記スチーム供給装置と連結されるノズルが連結されることを特徴とする請求項２または請求項３に記載のスチーム調理器。
【請求項６】
前記ノズルが連結される連結管にはスライディング部材が備えられ、
前記スライディング部材の一側には前記ノズルの外側をカバーする保護管が形成されることを特徴とする請求項５に記載のスチーム調理器。
【請求項７】
前記第１収容部と第２収容部は多数の貫通孔が形成される分離板で分離され、
前記第１収容部の内周面には多数の貫通孔が形成される内板が安着される突起が形成されることを特徴とする請求項３に記載のスチーム調理器。
【請求項８】
前記調理容器が安着される支え部がさらに備えられ、
前記支え部は上部に調理容器が位置する受け台と、
前記受け台の一側に形成される支え柱と、
前記支え柱に設置されて調理容器が挿入固定される圧迫バンドからなることを特徴とする請求項３に記載のスチーム調理器。
【請求項９】
前記調理容器が安着される支え部がさらに備えられ、
前記支え部は上部に調理容器が位置する受け台と、
前記受け台の一側に形成される支え柱と、
前記受け台の上部に位置し、弾性部材によって支え柱方向に弾性支持される圧迫柱からなることを特徴とする請求項３に記載のスチーム調理器。
【請求項１０】
前記調理容器は軟質の材質からなり、
内部に飲食物が収容され、前記スチーム供給装置からスチームの供給を受ける第１収容部と、
前記第１収容部の下部に備えられる前記スチーム供給装置からスチームの供給を受ける第２収容部と、
前記第１収容部の開放された上部を密封する密封部材からなることを特徴とする請求項１に記載のスチーム調理器。
【請求項１１】
前記第１収容部には調理容器の内部の圧力が設定された圧力より高くなるとスチームを外部に排出する圧力調節部材が備えられ、
前記第２収容部の下部にはスチームに含まれた凝結水を排出するためのスチームトラップが備えられるかまたは栓が備えられた通孔が形成されることを特徴とする請求項１０に記載のスチーム調理器。
【請求項１２】
前記調理容器が安着される支え部がさらに備えられ、
前記支え部は上部に調理容器が位置する受け台と、
前記受け台の一側に形成される支え柱と、
前記支え柱の上部に備えられ、軟質の材質で形成される調理容器の上段が係合される掛止部と、
前記支え柱に設置され、前記第１収容部と第２収容部の境界部が挿入されて境界部のサイズを調節する調節手段からなることを特徴とする請求項１１に記載のスチーム調理器。
【請求項１３】
前記内板と分離板の上下を貫通する移動管がさらに備えられることを特徴とする請求項７に記載のスチーム調理器。
【発明の詳細な説明】
【技術分野】
【０００１】
本発明はスチーム調理器に関し、より詳細には飲食物の上部と下部両方向からスチームの供給を受けることになり、飲食物の全体を均等に調理することができ、スチームの内部に収容された水分が凝結されて発生する凝結水を容易に外部に排出できるようにして飲食物と凝結水が接して飲食物の味が低下することを防止できるスチーム調理器に関する。
【背景技術】
【０００２】
飲食物の調理に使用される一般的な加熱調理装置としては高周波を利用する電子レンジとヒーターを利用して飲食物に直接熱を加えるガスオーブン、電気オーブンなどがある。
【０００３】
このような加熱調理装置のうち電子レンジは、調理できる飲食物の種類において多くの制限があるだけではなく、調理後に飲食物が乾燥されて飲食物の味が落ちる短所があり、ガスオーブンと電気オーブンは相対的に密度が低い空気がヒーターと飲食物との間で熱伝達の媒体として作用するため、調理時間が長くなり、効率が落ちる短所がある。
【０００４】
したがって、前述したような従来の加熱調理装置の短所を補完するための代案としてスチームにより飲食物に熱を供給する加熱調理装置（以下「スチーム調理機器」という）が開発されており、このようなスチーム調理機器を利用すると、飲食物に適切な水分が維持され、飲食物の味を維持することができ、調理室内に満ちている蒸気が効果的な熱伝達の媒体として作用して調理時間を短縮させる。
【０００５】
このようなスチームを利用する調理器具の一例として、図１及び図２に示すように韓国登録特許第１０−１３１１８６３号に記載された技術が提案されているが、その技術的な特徴は、本体１０内に支持され、食用水Ｗが収容されるスチーム発生室２１があり、前記スチーム発生室２１の下側で食用水Ｗを加熱するスチーム発生用電気ヒーター２２を備え、前記スチーム発生室２１の開口部２１ａの外側の熱伝達枠部２３に焼き乾燥用電気ヒーター２４を有するスチーム発生手段２０と、前記スチーム発生室２１の開口部２１ａを覆うように熱伝達枠部２３上に搭載され、多数の凸輪部３１の内部に遠赤外線放射体３２が内蔵され、前記多数の凸輪部３１の間にスチーム放出孔３３を有する焼き乾燥手段３０と、前記焼き乾燥手段３０の上部にスチーム滞留室４１を設けるスチーム滞留部材４０と、前記スチーム発生用電気ヒーター２２及び焼き乾燥用電気ヒーター２４を制御する制御部５０を含んでなることを特徴とする。
【０００６】
しかし、韓国登録特許第１０−１３１１８６３号に記載された技術は調理時にスチームを利用して調理することによって、多様な調理を迅速にできる長所はあるが、スチームを飲食物の下部にのみ供給するため、飲食物を均等に加熱することが難しく、スチームによって発生する凝結水の排水が容易ではないため、飲食物に凝結水が接して食べ物の味が低下し、安定した調理が難しいという問題点がある。
【発明の概要】
【発明が解決しようとする課題】
【０００７】
本発明は前記した問題点を解決するために案出されたものであって、本発明の目的は、スチームを生成して供給するスチーム供給装置からスチームの供給を受けてスチーム調理器の内部に収容される飲食物を調理するが、前記スチーム調理器は、飲食物が収容される第１収容部と第１収容部の下部に形成されてスチームの供給を受ける第２収容部と前記第１収容部の上部に備えられてスチームの供給を受ける蓋からなる調理容器が備えられ、飲食物の下部と上部から同時にスチームの供給を受けて飲食物の全体を均等に調理できるスチーム調理器を提供することにある。
【０００８】
また、本発明の他の目的は、内部に飲食物が収容される第１収容部の下部にはスチームの供給を受ける第２収容部が形成され、前記第２収容部の下部にはスチームに含まれた水滴が凝結されて発生する凝結水を外部に排出するスチームトラップが備えられ、前記調理容器の下部には凝結水を収集する凝結水収集装置が備えられ、調理容器で生成される凝結水を容易に収集することができ、内部に収容される飲食物と凝結水が接して食べ物の味を低下させることを防止できるスチーム調理器を提供することにある。
【０００９】
また、本発明のまた他の目的は、スチームを供給するスチーム供給装置と調理容器を連結するためのノズルはシリコンのような軟質の材質からなり、密閉力が優れ、前記ノズルと連結される連結管に沿ってスライディング移動するスライディング部材が備えられ、スライディング部材の端部には前記ノズルの外側をカバーする保護管が備えられることによって、調理容器にノズルが結合される場合、保護管がノズルの外側をカバーし、外部の異物が調理容器の内部に流入することを安定的に防止できるスチーム調理器を提供することにある。
【課題を解決するための手段】
【００１０】
このような問題点を解決するための本発明は、スチームを生成して供給するスチーム供給装置と、前記スチーム供給装置からスチームの供給を受けて内部に収容された飲食物を調理する調理容器からなることを特徴とする。
【００１１】
ここで、前記調理容器は内部に飲食物が収容される第１収容部と、前記第１収容部の上部に備えられ第１収容部を密閉する蓋からなり、前記第１収容部または蓋にはスチームの供給を受ける供給孔が形成されることを特徴とする。
【００１２】
また、前記調理容器は、内部に飲食物が収容される第１収容部と、前記第１収容部の下部に連通するように形成され、前記スチーム供給装置からスチームの供給を受ける供給孔が形成される第２収容部と、前記第１収容部の上部に備えられ第１収容部を密閉する蓋からなり、前記第１収容部または蓋にはスチームの供給を受ける供給孔が形成されることを特徴とする。
【００１３】
また、前記第１収容部はフォールディング可能なように襞部が形成されることを特徴とする。
【００１４】
ここで、前記供給孔には前記スチーム供給装置と連結されるノズルが連結されることを特徴とする。
【００１５】
このとき、前記ノズルが連結される連結管にはスライディング部材が備えられ、前記スライディング部材の一側には前記ノズルの外側をカバーする保護管が形成されることを特徴とする。
【００１６】
一方、前記第１収容部と第２収容部は多数の貫通孔が形成される分離板で分離され、前記第１収容部の内周面には多数の貫通孔が形成される内板が安着される突起が形成されることを特徴とする。
【００１７】
また、前記調理容器が安着される支え部がさらに備えられ、前記支え部は上部に調理容器が位置する受け台と、前記受け台の一側に形成される支え柱と、前記支え柱に設置されて調理容器が挿入固定される圧迫バンドからなることを特徴とする。
【００１８】
また、前記調理容器が安着される支え部がさらに備えられ、前記支え部は上部に調理容器が位置する受け台と、前記受け台の一側に形成される支え柱と、前記受け台の上部に位置し、弾性部材によって支え柱方向に弾性支持される圧迫柱からなること特徴とする。
【００１９】
ここで、前記調理容器は軟質の材質からなり、内部に飲食物が収容されて前記スチーム供給装置からスチームの供給を受ける第１収容部と、前記第１収容部の下部に備えられる前記スチーム供給装置からスチームの供給を受ける第２収容部と、前記第１収容部の開放された上部を密封する密封部材からなることを特徴とする。
【００２０】
このとき、前記第１収容部には調理容器の内部の圧力が設定された圧力より高くなるとスチームを外部に排出する圧力調節部材が備えられ、前記第２収容部の下部にはスチームに含まれた凝結水を排出するためのスチームトラップが備えられたりまたは栓が備えられる通孔が形成されることを特徴とする。
【００２１】
また、前記調理容器が安着される支え部がさらに備えられ、前記支え部は上部に調理容器が位置する受け台と、前記受け台の一側に形成される支え柱と、前記支え柱の上部に備えられ軟質の材質で形成される調理容器の上段が係合される掛止部と、前記支え柱に設置され、前記第１収容部と第２収容部の境界部が挿入されて境界部のサイズを調節する調節手段からなることを特徴とする。
【００２２】
また、前記内板と分離板の上下を貫通する移動管がさらに備えられることを特徴とする。
【発明の効果】
【００２３】
前記した構成の本発明によれば、スチームを生成して供給するスチーム供給装置からスチームの供給を受けてスチーム調理器の内部に収容される飲食物を調理し、前記スチーム調理器は飲食物が収容される第１収容部と第１収容部の下部に形成されてスチームの供給を受ける第２収容部と前記第１収容部の上部に備えられスチームの供給を受ける蓋からなる調理容器が備えられ、飲食物の下部と上部から同時にスチームの供給を受けることになり飲食物の全体を均等に調理できる効果がある。
【００２４】
また、本発明は内部に飲食物が収容される第１収容部の下部にはスチームの供給を受ける第２収容部が形成され、前記第２収容部の下部にはスチームに含まれた水滴が凝結されて発生する凝結水を外部に排出するスチームトラップが備えられ、前記調理容器の下部には凝結水を収集する凝結水収集装置が備えられ調理容器で生成される凝結水を容易に収集できるため、内部に収容される飲食物と凝結水が接して食べ物の味を低下させることを防止できる効果がある。
【００２５】
また、本発明はスチームを供給するスチーム供給装置と調理容器を連結するためのノズルはシリコンのような軟質の材質からなり、密閉力が優れ、前記ノズルと連結される連結管に沿ってスライディング移動するスライディング部材が備えられ、スライディング部材の端部には前記ノズルの外側をカバーする保護管が備えられることによって、調理容器にノズルが結合する場合、保護管がノズルの外側をカバーするようになり外部の異物が調理容器の内部に流入することを安定的に防止できる効果がある。
【図面の簡単な説明】
【００２６】
【図１】従来のスチーム調理器の概念図である。
【図２】従来のスチーム調理器の焼き乾燥手段の平面図である。
【図３】本発明によるスチーム調理器の概念図である。
【図４】本発明によるスチーム調理器に支え部が設置された状態図である。
【図５】本発明の他の実施例による支え部が備えられたスチーム調理器の状態図である。
【図６】本発明によるスチーム調理器に使用されるノズルの概念図である。
【図７】本発明のまた他の実施例によるスチーム調理器の概念図である。
【図８】本発明のまた他の実施例によるスチーム調理器の概念図である。
【図９】図８の実施例に支え部が備えられた状態図である。
【図１０】本発明のまた他の実施例によるスチーム調理器の概念図である。
【図１１】本発明のまた他の実施例によるスチーム調理器の概念図である。
【発明を実施するための形態】
【００２７】
以下、添付する図面を参照して本発明の好ましい実施例についてより詳細に説明する。図面上の同一構成要素に対しては同一参照符号を使用し、同一構成要素については重複する説明を省略する。また、本発明は多数の異なる形態で具現することができ、記述した実施例に限定されないことを理解しなければならない。
【００２８】
図３は本発明によるスチーム調理器の概念図であり、図４は本発明によるスチーム調理器に支え部が設置された状態図であり、図５は本発明の他の実施例による支え部が備えられたスチーム調理器の状態図であり、図６は本発明によるスチーム調理器に使用されるノズルの概念図であり、図７は本発明のまた他の実施例によるスチーム調理器の概念図であり、図８は本発明のまた他の実施例によるスチーム調理器の概念図であり、図９は図８の実施例に支え部が備えられた状態図であり、図１０は本発明のまた他の実施例によるスチーム調理器の概念図であり、図１１は本発明のまた他の実施例によるスチーム調理器の概念図である。
【００２９】
本発明はスチーム調理器に関し、図３に示すようにその構成は内部に収容された水を加熱してスチームを生成・供給するスチーム供給装置１００と前記スチーム供給装置１００からスチームの供給を受けて内部に収容された飲食物を調理する調理容器２００からなる。
【００３０】
ここで、前記調理容器２００は内部に飲食物が収容される第１収容部２１０と前記第１収容部２１０の下部に形成される第２収容部２２０と前記第１収容部２１０の上部に備えられる蓋２３０からなり、前記第１収容部２１０と第２収容部２２０は互いに連通するように形成され、前記蓋２３０と第２収容部２２０は前記スチーム供給装置１００からスチームの供給を受けて第１収容部２１０に供給し、第１収容部の２１０内部に収容された飲食物を調理する。
【００３１】
したがって、前記第１収容部２１０の内部に収容された飲食物に上部と下部から同時にスチームが加えられるため飲食物が全体的に一定の温度のスチームの供給を受けるようになり全体が均等に調理される。
【００３２】
また、図面に示していないが、蓋２３０ではない第１収容部２１０に直接スチームの供給を受けることもできる。
【００３３】
また、従来の蒸し器は蒸し器自体だけでは飲食物を調理することができないため、下部にスチームを供給するための別途の構造を連結しなければならなく、連結と分離の過程が複雑で、かつ調理に多くの時間が必要であり、蒸し器全体を移動させることが難しい。このため内部に収容された飲食物だけを別途に取り出さなければならず、運搬も難しいという問題点があったが、本発明の調理容器２００は体積が大きくなく、スチーム供給装置１００と着脱が容易であるため、内部に収容された飲食物を調理して飲食物を別途の容器に移すことなく調理容器２００に飲食物を収容した状態で運搬が可能である。
【００３４】
一方、前記調理容器２００は飲食物が収容される第１収容部２１０とスチームの供給を受けるための第２収容部２２０からなり、前記第１収容部２１０と第２収容部２２０との間には分離板２４０が備えられ、それぞれの空間を分離し、前記分離板２４０には多数の貫通孔２４２が形成され、第２収容部２２０に供給されたスチームが前記貫通孔２４２を介して第１収容部２１０に供給される。
【００３５】
また、前記第１収容部２１０の内周面には突起２１２が形成され、前記突起２１２には内板２１４が支持され、第１収容部２１０が２層に分割され、多数の飲食物を収容して同時に調理することができる。
【００３６】
このとき、図３に示すように前記突起２１２は一つのみ形成されてもよく、上下方向に多数形成されて第１収容部２１０を多層に分割してより多くの飲食物を収容して同時に調理することができる。
【００３７】
また、前記分離板２４０と内板２１４の上部に安着される飲食物が調理過程でゲル化して分離板２４２と内板２１４に形成された貫通孔２４２を詰まるようになりスチームの移動が円滑に行われないこともあり得るため、図１１に示すように、前記内板２１４及び分離板２４２を上下に貫通する別途の移動管２５０を備えてスチームが容易に移動できるようにして安定的に調理することができるようにする。
【００３８】
一方、前記第１収容部２１０の上部に形成される開放部をカバーする蓋２３０が備えられるが、前記蓋２３０には圧力調節部材２３６が形成され、調理容器２００内部の圧力を調節する。
【００３９】
すなわち、前記調理容器２００は蓋２３０と第２収容部２２０を介してスチームの供給を受けるが、調理容器２００の上部と下部から供給されたスチームが内部に一定以上に収容されると、内部の圧力が高くなって危険であるため、一定以上の圧力になると、前記圧力調節部材２３６を介して内部のスチームを外部に排出して内部の圧力を調節する。
【００４０】
このとき、前記圧力調節部材２３６は韓国登録特許第１０−１４３９９９３号に記載された構成のように切開部が形成された排出部を介して内部に形成されるスチームの圧力が排出部の弾性力を超えると、切開部が撓んで切開部に隙間が発生し、内部のスチームが外部に排出される構成を使用することもでき、すでに公知された多様な技術を使用して圧力を調節する。
【００４１】
また、前記スチーム供給装置１００からスチームの供給を受ける第２収容部２２０の下部にはスチームトラップ２２２が形成され、前記スチームトラップ２２２はスチームに含まれた水滴が調理容器２００の表面などと接して凝結された凝結水を外部に排出する。
【００４２】
したがって、スチームを利用して調理時に飲食物に凝結水が接して飲食物がふやけて飲食物の味が低下することを防止することができる。
【００４３】
また、前記スチームトラップ２２２はディスク式スチームトラップ、バイメタル式スチームトラップ、バケット式スチームトラップなど公知された多様なスチームトラップ方式を使用して形成することができ、このような構成はすでに公知された内容であるため別途の説明は省略する。
【００４４】
このとき、前記調理容器２００の下部には上部が開放されるように形成される凝結水収集装置３００が備えられ、前記スチームトラップ２２２を介して排出する凝結水を収集するようにして凝結水が厨房などの床に任意に流れることを防止することができる。
【００４５】
一方、前記凝結水収集装置３００は図面に示していないが、引出し形態で形成されて内部に収容された凝結水を容易に排出することもできる。
【００４６】
また、前記スチームトラップ２２２の代わりに上下に貫通する通孔（図示せず）を形成し、通孔に栓を備えて凝結水が多く満たされると、栓を分離して凝結水を排出し、普段は栓を閉めた状態で料理するようにすることもできる。
【００４７】
また、前記蓋２３０と第２収容部２２０には前記スチーム供給装置１００から供給されるスチームの供給を受けるために供給孔（２３４、２２４）が各々形成され、前記供給孔（２３４、２２４）には前記スチーム供給装置１００とホースや連結管１２０に連結されるノズル１１０が連結される。
【００４８】
ここで、前記ノズル１１０は一側が傾斜するように形成され、材質はシリコンのような軟質からなり、前記供給孔（２３４、２２４）に挿入して結合する場合、図６の（ａ）に示すように供給孔（２３４、２２４）により加圧されてノズル１１０の外周縁に一時的に溝１１２が形成されて完全に密閉され、安定的にスチームを供給することができる。
【００４９】
また、前記調理容器２００の内部にスチームが供給されて内部の圧力が高くなると、調理容器２００の外部側方向にスチームが排出されるように力が作用し、シリコンのような軟質からなるノズル１１０に形成された溝１１２の全部も外側方向に力が作用して溝１１２の全部が供給孔（２３４、２２４）の外側と完全に密着し、内部のスチームが外部に排出されることを安定的に防止することができる。
【００５０】
また、前述したように蓋２３０に供給孔２３４を形成せず、第１収容部２１０に直接供給孔（図示せず）を形成し、スチーム供給装置１００から直接スチームの供給を受けることもできる。
【００５１】
一方、図６の（ｂ）に示すように、前記ノズル１１０の端部に連結される連結管１２０にはスライディング部材１３０が備えられるが、前記スライディング部材１３０は前記連結管１２０に沿って前後に移動できるように設置され、前記スライディング部材１３０の一側には前記ノズル１１０の外側をカバーする保護管１４０が形成される。
【００５２】
したがって、前記ノズル１１０が供給孔（２３４、２２４）に結合される場合、前記スライディング部材１３０を移動させて保護管１４０の端部が供給孔（２３４、２２４）の外側と接するようにして外部の異物がノズル１１０に流入することを防止することができる。
【００５３】
また、本発明の他の実施例として図４に示すように前記調理容器２００は別途に備えられる支え部４００に安着されて使用することもできるが、前記支え部４００は調理容器２００が安着されるように形成される平板形状の受け台４１０と前記受け台４１０の一側に備えられる支え柱４２０と前記支え柱４２０に設置される圧迫バンド４３０からなる。
【００５４】
ここで、前記圧迫バンド４３０はゴムのような弾力性が良い材質からなり、圧迫バンド４３０の内側に調理容器２００を位置させ、前記支え柱４２０に安定的に固定する。
【００５５】
したがって、前記支え部４００に調理容器２００を安着させた状態で調理をすることによって、スチームを注入するときに発生する揺れにも調理容器２００が揺れずに固定され、調理容器２００の内部に収容された飲食物が揺れないため、安定した調理が可能である。
【００５６】
また、前記受け台４１０には排水孔４１６が形成され、前記調理容器２００の下部に形成されるスチームトラップ２２２は前記排水孔４１６に対応するように位置し、前記スチームトラップ２２２を介して排出される凝縮水が前記排水孔４１６を介して収集される。
【００５７】
このとき、前記受け台４１０の下部には凝結水収集装置３００が備えられ、前記排水孔４１６を介して流入する凝結水を収集する。
【００５８】
また、前記支え柱４２０にはノズル１１０または連結管１２０を固定するための固定部（符号を図示せず）が形成され、ノズル１１０が調理容器２００に安定的に結合された状態を維持することができる。
【００５９】
一方、本発明のまた他の実施例として図５に示すように、前記調理容器２００が安着される支え部４００は調理容器２００が安着されるように形成される平板形状の受け台４１０と前記受け台４１０の一側に備えられる支え柱４２０と前記支え柱４２０が設置された方向に弾性支持される圧迫柱４４０からなる。
【００６０】
ここで、前記圧迫柱４４０は前記受け台４１０の上部に形成されるガイド溝４１２に設置され、前記ガイド溝４１２に沿って移動し、前記圧迫柱４４０の端部には弾性部材４１４により支え柱４２０が位置した方向に弾性支持される。
【００６１】
これによって、前記支え柱４２０と圧迫柱４４０との間に調理容器２００を位置させると、前記弾性部材４１４の弾性力によって圧迫柱４４０が調理容器２００を加圧して調理容器２００は安定的に固定され、スチームが注入される過程で発生する揺れを安定的に防止される。
【００６２】
一方、前記圧迫柱４４０の位置を調節するためには前述したように弾性部材４１４を使用することもでき、スクリューを利用して圧迫柱４４０の長さを調節したり、圧迫柱４４０の下部には突起を形成し、受け台４１０にはそれに対応する多数の溝を形成して長さを調節するなどの多様な公知の方法を使用することもできる。
【００６３】
また、前記受け台４１０には図４の実施例のように排水孔４１６が形成され、受け台４１０の下部には凝結水収集装置３００が備えられ調理容器２００から排出される凝結水が収集される。
【００６４】
一方、本発明のまた他の実施例として図７に示すように、スチーム供給装置１００からスチームの供給を受けて内部に収容された飲食物を調理する調理容器２００は内部に飲食物が収容される第１収容部２１０と前記第１収容部２１０の下部に形成される第２収容部２２０と前記第１収容部２１０の上部に備えられる蓋２３０からなり、前記第１収容部２１０と第２収容部２２０は互いに連通するように形成され、前記蓋２３０と第２収容部２２０は前記スチーム供給装置１００からスチームの供給を受けて第１収容部２１０に供給し、第１収容部の２１０内部に収容された飲食物を調理する。
【００６５】
ここで、前記第１収容部２１０は長さ方向に沿って襞部２１６が形成されてフォールディング可能なように形成され、使用しない場合には第１収容部２１０をたたんで保管することができ、その体積が減るため保管及び運搬が容易である。
【００６６】
また、前記第１収容部２１０は第２収容部２２０と着脱できるように形成され、前記第１収容部２１０の下段の内周面には別途のパッキング（図示せず）が備えられ、第２収容部２２０との密閉力を高めることによって、内部に注入されるスチームが外部に漏出することを安定的に防止することができる。
【００６７】
また、他の構成は前述した構成と同一であるため、別途の説明は省略する。
【００６８】
一方、本発明のまた他の実施例として図８に示すように、スチーム供給装置１００からスチームの供給を受けて内部に収容された飲食物を調理する調理容器５００はゴムまたはシリコンのような軟質の材質でチューブ形態からなり、上部は飲食物が収容される第１収容部５１０が形成され、前記第１収容部５１０の下部には第１収容部５１０と連通するように第２収容部５２０が形成される。
【００６９】
ここで、前記第１収容部５１０と第２収容部５２０との間には境界部５３０が形成され、前記境界部５３０は第１収容部５１０と第２収容部５２０の直径より小さい通孔で形成され、第１収容部５１０と第２収容部５２０が互いに連通するようになり、前記第１収容部５１０と第２収容部には前記スチーム供給装置１００からスチームの供給を受けるための供給孔（５１４、５２４）が各々形成されて前述したノズル１１０が結合する。
【００７０】
また、前記第１収容部５１０は上部が開放されるように形成され、前記第１収容部５１０の上部にはピンチまたはバンドのように軟質の上部を密封するための密封部材５４０が備えられ、内部に注入されるスチームが任意に排出することを防止することができる。
【００７１】
また、前記第１収容部５１０には圧力調節部材５１２が備えられ、前述したように内部の圧力が一定以上になると、スチームを外部に排出して過度な圧力による安全事故を予防する。
【００７２】
また、前記第２収容部５２０の下部にはスチームトラップ５２２が形成され、スチームに含まれた凝結水を外部に排出する。
【００７３】
一方、軟質からなる調理容器５００は図９に示すように別途の支え部４００′に支えられ、調理するが、前記支え部４００′は上部に調理容器が位置する受け台４１０′と前記受け台４１０′の一側に形成される支え柱４２０′と前記支え柱の上部に備えられ軟質の材質からなる調理容器５００の上段が係合される掛止部４２２からなる。
【００７４】
ここで、前記支え柱４２０′には調節手段４２４が備えられ、前記調節手段４２４の中心部には通孔４２５が形成され、前記通孔４２５を基準に外側には通孔のサイズを調節する調節部材４２６が備えられる。
【００７５】
それで、前記調節手段４２４の通孔４２５に境界部５３０が位置し、前記調節部材４２６の位置を調節して境界部５３０のサイズを調節できるため、第２収容部５２０を介して注入されるスチームの量を調節して飲食物の調理状態を調節することができる。
【００７６】
一方、本発明のまた他の実施例として図１０に示すように、スチーム供給装置１００からスチームの供給を受けて内部に収容された飲食物を調理する調理容器６００は飲食物が収容される第１収容部６１０と前記第１収容部６１０の上部をカバーする蓋６２０からなる。
【００７７】
ここで、前記蓋６２０にはスチーム供給装置１００からスチームの供給を受けるための供給孔６２２が形成され、スチームを使用して内部に収容された飲食物を調理することができる。
【００７８】
また、前記蓋６２０には圧力調節部材６２４が備えられ、内部に収容されたスチームの圧力が設定された圧力以上になると、圧力調節部材６２４を介して外部に排出して内部の圧力が過度に高くなることを防止する。
【００７９】
一方、前記蓋６２０に供給孔６２２を形成せず、第１収容部６１０に直接供給孔（図示せず）を形成してスチーム供給装置１００からスチームの供給を受けることもできる。
【００８０】
以上、本発明の好ましい実施例について説明したが、本発明の権利範囲はこれに限定されず、本発明の実施例と実質的に均等な範囲にあるものまで本発明の権利範囲が及ぶものであり、本発明の精神に外れない範囲内で当該発明の属する技術分野における通常の知識を有する者によって多様に変形されて実施することができる。
【産業上の利用可能性】
【００８１】
本発明はスチーム調理器に関し、より詳細には飲食物の上部と下部両方向からスチームの供給を受けることになり、飲食物全体を均等に調理することができ、スチームの内部に収容された水分が凝結されて発生する凝結水を容易に外部に排出して飲食物と凝結水が接して飲食物の味が低下することを防止できるスチーム調理器に関する。
【図１】
2016531721.tif 000003
【図２】
2016531721.tif 000004
【図３】
2016531721.tif 000005
【図４】
2016531721.tif 000006
【図５】
2016531721.tif 000007
【図６（ａ）】
2016531721.tif 000008
【図６（ｂ）】
2016531721.tif 000009
【図７】
2016531721.tif 000010
【図８】
2016531721.tif 000011
【図９】
2016531721.tif 000012
【図１０】
2016531721.tif 000013
【図１１】
2016531721.tif 000014
【国際調査報告】
2016531721.tif 000015
2016531721.tif 000016
2016531721.tif 000017
2016531721.tif 000018